(57)【要約】【課題】ビニールカバー等の特殊加工がなされていない紙等印刷物上の任意の位置に印刷された文字情報を消去して判読不能とする、可搬性の高い文字情報リムーバを提供する。【解決手段】印刷物に印刷された文字情報の一部を印刷物の表面から剥離する粘着テープが回転自在に収納されているリムーバであって、粘着テープが保持収納されているリムーバ本体と、強粘着力の接着剤が片方の面に塗布された環状に巻回された粘着テープと、該粘着テープを回転可能な状態で保持するテープ保持部と、該テープ保持部から回転伸長させて粘着テープを引き出すガイドと、該粘着テープを印刷物の文字に接触させるためにリムーバ本体の先端に設けられた開口からなる貼接部と、印刷物から剥離した印刷物の文字情報の一部が片方の面に貼着している粘着テープを巻き取るテープ巻取部とからなる構成である。【選択図】  図１
2012030558.tif 000002
【特許請求の範囲】
【請求項１】
個人情報または文書の機密情報の流出を防ぐため、印刷物に印刷された文字情報の一部を印刷物の表面から剥離する粘着テープが回転自在に収納され粘着テープを貼着して剥離させるリムーバにおいて、
粘着テープが保持収納されているリムーバ本体と、
強粘着力の接着剤が片方の面に塗布された環状に巻回された粘着テープと、
該粘着テープを回転可能な状態で保持するテープ保持部と、
該テープ保持部から回転伸長させて粘着テープを引き出すガイドと、
該粘着テープを印刷物の文字に接触させるためにリムーバ本体の先端に設けられた開口からなる貼接部と、
印刷物から剥離した印刷物の文字情報の一部が片方の面に貼着している粘着テープを巻き取るテープ巻取部と、
からなることを特徴とする文字情報リムーバ。
【請求項２】
該粘着テープは、粘着テープの片方の面に塗布される接着剤が片方の面に部分的に塗布され、回転軸の周面に回転取り出し自在に巻装されていることを特徴とする請求項１記載の文字情報リムーバ。
【請求項３】
該粘着テープの片方の面に部分的に塗布される接着剤は、文字、横縞または縦縞、水玉または市松模様、幾何学模様または多数の小点からなることを特徴とする請求項１記載の文字情報リムーバ。
【請求項４】
前記リムーバは、印刷物の印刷面の粗度を上げることにより、該粘着剤が塗布されたテープによる印刷物からの剥離を容易にするために、印刷面を傷付け荒らす機構を装備していることを特徴とする請求項１記載の文字情報リムーバ。
【請求項５】
前記機構は、ローラの周面に突刺針の植設された円筒状の回転剣山をリムーバ本体の開口からなる貼接部の近傍に装備していることを特徴とする請求項１記載の文字情報リムーバ。
【発明の詳細な説明】
【技術分野】
【０００１】
本発明は、印刷物に印刷された文字情報の一部を剥離するリムーバに関し、特に、リムーバ本体内に回転自在に保持された片面に強粘着性の接着剤が塗布された環状に巻回されている粘着テープが、リムーバ本体のテープ露出部を印刷物の文字に押圧接触させることにより、印刷文字を剥離し、剥離した文字の着いたテープを巻取ることによって印刷物に印刷された文字等情報を剥離消去する文字情報リムーバに関する。
【背景技術】
【０００２】
従来より、はがき、封書、印刷物など、住所、氏名または会社名などの個人情報や機密情報がトナーやインクで表面に印刷、記載された書類を廃棄する場合、個人情報保護や機密情報漏洩防止の観点から、記載されている個人情報や機密情報を消去する必要があった。情報の消去の方法として、個人情報や機密情報が特定できない程度にインクで塗り潰したり、記載箇所を削り取ったり、あるいは電動シュレッダーまたは鋏等で裁断するなどの処置を講ずることで、これらの情報を判読または再現出来ない状態にすることが行われている。しかし、インクで文字部分を塗り潰す作業、削り取る作業、鋏や機械で裁断する作業は非常に手間と労力のかかる作業であり、電動シュレッダーは個人が所有するには値段、サイズ共にオーバースペックであるため、手軽さにかけるという問題があった。
また、シュレッダーで裁断した紙片は、紙そのものの繊維質が低下し、再生する際の素材としては、敬遠されている。使用状況においても、廃棄後のごみが散らばり手間が多いという問題があった。
【０００３】
そこで、個人情報や機密情報を消去する手段として、不規則に並べられた文字や幾何学模様をインクで印刷物の該当する文字部分の上に転写することで記載された情報を判読または再現不能な状態にする構成の、スタンプ式またはローラ式の個人情報消去グッズが開発され、必需品として存在している。これは、個人情報や機密情報を消去することの重要性を鑑み、より簡便な機器により手軽さを向上してこまめで細部まで行き届いた秘密の保持を図ったものである。しかし、上記スタンプ式またはローラ式の個人情報消去グッズは、前述の通り手軽さは向上するものの、判読不能の状態にまで記載された情報を消去することは容易にはできない構造である。また、情報消去グッズは使用の継続によりインクが次第に薄くなってくる他にムラが生じるため、容易に判読ができてしまうケースが発生するという問題があった。
【０００４】
上記問題を解決することを目的とした従来技術として、特許文献１に開示される「個人情報保護用フィルムシート」がある。特許文献１に開示された発明は、はがき等の宛名部分に保護用シートを貼り付け、シートをはがすことで記載部分を剥離消去し、容易に個人情報が判読できないようにしたものである。しかしながら、この種の保護シートはある程度の幅のある構成であって、単価も低廉に抑えることも困難であるので、使用も限定され、秘密の度合いが高いものへの使用に止まる傾向にあり、安価で安心していつでも手軽に利用できるという態様のシートではなかった。また、特許文献１に開示される発明は、剥離後の判読性は低いものの、用途が限定されており、任意の位置および範囲に印刷、記載された文字等を必要に応じて消去するという使い方に向かないという問題があった。
【０００５】
特許文献２乃至４に開示される「個人情報保護シート」は、剥離容易な印刷面に文字等を印刷し、使用後に印刷面を擦ることで、容易に記載された文字を消去し、復元不能にできるようにしたものである。
特許文献２乃至４に開示される発明も、特許文献１と同様に用途が限定されており、予め当該発明にかかるラベルを貼り付けていないと、情報を消去することができず、任意の位置および範囲に印刷、記載された文字等をランダムに消去するという使い方に向かないという問題があった。
【特許文献１】特開２００８−１８１０４５号公報
【特許文献２】特開２００７−２１９２８１号公報
【特許文献３】特開２００６−２８１７６４号公報
【特許文献４】特開２００６−２８５２０３号公報
【発明の開示】
【発明が解決しようとする課題】
【０００６】
本発明は上記問題を解決するために、印刷物に印刷された機密性の高い文字情報を任意に剥離・消去する文字情報リムーバを提供することを目的とする。
【課題を解決するための手段】
【０００７】
上記の目的を達成するために本発明にかかる文字情報リムーバは、個人情報または文書の機密情報の流出を防ぐため、印刷物に印刷された文字情報の一部を印刷物の表面から剥離する粘着テープが回転自在に収納され粘着テープを貼着して剥離させるリムーバであって、粘着テープが保持収納されているリムーバ本体と、強粘着力の接着剤が片方の面に塗布された環状に巻回された粘着テープの粘着テープと、該粘着テープを回転可能な状態で保持するテープ保持部と、該テープ保持部から回転伸長させて粘着テープを引き出すガイドと、該粘着テープを印刷物の文字に接触させるためにリムーバ本体の先端に設けられた開口からなる貼接部と、印刷物から剥離した印刷物の文字情報の一部が片方の面に貼着している粘着テープを巻き取るテープ巻取部と、からなる構造である。
【０００８】
また、上記強粘着力の接着剤が片方の面に塗布された環状の粘着テープは、粘着テープの片方の面に塗布される接着剤が片方の面に部分的に塗布され、回転軸の周面に回転取り出し自在に巻装されている構造である。
また、上記粘着テープの片方の面に部分的に塗布される接着剤は、横縞または縦縞、水玉または市松模様、幾何学模様または多数の小点からなる構造である。
【０００９】
また、上記文字情報リムーバは、印刷物の印刷面の粗度を上げることにより、該粘着剤が塗布されたテープによる印刷物からの剥離を容易にするために、印刷面を傷付け荒らす機構を装備している構造である。
また、前記機構は、ローラの周面に突刺針等の植設された円筒状の回転剣山等をリムーバ本体の開口からなる貼接部の近傍に装備している構成でもある。
【発明の効果】
【００１０】
本発明は、上記詳述した通りの構成であるので、以下のような効果がある。
１．印刷物上の任意の位置に印刷された文字情報をリムーバの貼接部を押圧摺動させることにより適宜に文字情報を消去することが可能であり、かつ持ち運び自由で可搬性が高く、また、消去後に生じた剥離された文字情報の一部が貼着しているテープが文字情報リムーバ内のごみ巻取部に巻き取られるため、四散することなく廃棄する上での利便性が高いリムーバが提供できる。
２．粘着テープの片面である接着面に部分的に強力接着剤が塗布されているため、環状に巻回された粘着テープからの剥離が容易にできる構成である。また、粘着テープが取り替え可能となっていることから合理的かつ経済的であり、環境を考慮に入れた製品が提供できる。
【００１１】
３．接着剤を、横縞または縦縞、水玉または市松模様、幾何学模様または多数の小点の形状で粘着テープに塗布することが可能であるため、文字情報を判読不可かつ文字情報再生不可とするのに充分な範囲での文字消去ができる。
４．印刷面の文字部分である剥離対象部分を剣山等のような刺通器で貼着剥離し易いように傷付けているので、印刷面からの文字情報の剥離を容易に行うことが出来る。
５．効果的に印刷面を傷付け荒らすことが出来るように、円筒状の回転剣山を装備する構成にしているので、印刷面からの文字情報の剥離がより容易に行うことが出来る。
【発明を実施するための最良の形態】
【００１２】
以下、本発明に係る文字情報リムーバを、図面に示す実施例に基づいて詳細に説明する。図１は、本発明における文字情報リムーバの外観の斜視図であり、図２は、文字情報リムーバの内部構造の斜視図である。図３は、文字情報リムーバの内部構造を示す斜視図であって、テープを透明に表した透視図であり、図４は、リムーバの内部機構を表す正面透視図であり、図５は、粘着テープの構造を示す断面図であり、図６は、粘着テープの粘着剤塗布面の図柄を表す図である。
【００１３】
本件の文字情報リムーバは、個人情報または文書の機密情報の流出を防ぐため、印刷物に印刷された文字情報の一部を印刷物の表面から剥離する形式のリムーバであり、より詳細には、回転自在に収納された粘着テープを印刷面に貼着して文字を破壊剥離させるものである。本件発明の文字情報リムーバは、リムーバ本体１０と、粘着テープ２０と、テープ保持部３０と、ガイド４０と、貼接部１５と、テープ巻取部６０と、ローラ７０とからなり、図２乃至図４で示すように、テープ保持部３０に回転自在に保持されている粘着テープ２０を伸延させて粘着テープの粘着剤塗布面を下にしてガイド４０に係合され、印刷物の文字に押圧されて文字情報を剥離してはぎ取られた文字を粘着テープに付着させた後、文字が付着している状態の粘着テープ２０をテープ巻取部６０に巻き取らせる構成である。
【００１４】
本発明のリムーバ本体１０には粘着テープが保持収納されており、図１に外観を示すように、本発明にかかる文字情報リムーバの各部材をも収納保持する筐体である。リムーバ本体１０の下端部にある先端には、粘着テープ２０を印刷物の文字に押圧接触させるための貼接部１５が設けられている。また、ローラ７０を装備する本発明の第二の実施例においては、本体内部に装備されたローラ７０を印刷物の印刷面と接触させるため、ローラ用開口１２が設けられている。
なお、第二の実施例では、ローラ７０が設けられているが、ローラを設けない実施例である場合や、ローラをリムーバ本体の外部に附属的に設置する場合はリムーバ本体１０にはローラ用開口を設けなくてもよい。
リムーバ本体１０は粘着テープ２０を取り出し自在とするために、全体または一部が開閉可能または取り外し可能な構造となっている。
リムーバ本体１０の素材は、プラスチック、塩化ビニール、アルミニウム等により形成されるのが望ましいが、各部材を保持することが可能であれば、これらの素材に限定されない。
【００１５】
粘着テープ２０は、リムーバ本体１０の中に回転軸の周面に回転取り出し自在に巻装されており、図５に示すように、テープの片方の面に強粘着力の接着剤２２が塗布されたものであって、これを円筒状の回転軸（芯）に巻き取って環状に巻回して構成された構成である。強粘着力の接着剤２２が印刷物に印刷・記載された文字情報部分に押圧接触され、文字の印刷された表面部分を剥離して粘着剤側に貼着することにより文字情報を部分的に破壊して判読不能の状態を形成する。
【００１６】
使用される接着剤２２は、文字情報を印刷面から剥離する程度の強粘着力であることが必要である。なお、接着剤２２が塗布される面は、内側（テープ中心側）または外側いずれの構成であってもよい。
接着剤２２は、判読不可能とする観点や再生不能とする観点から、テープの片面に部分的に塗布されるのが望ましい。例えば、図６に示すように、横縞または縦縞、水玉または市松模様、幾何学模様または多数の小点の形状で粘着テープ２０に塗布されるのが望ましいが、塗布面の形状は限定されるものではない。もちろん、コスト的に可能であればテープ全面に対して均一に塗布した構成であってもよい。
【００１７】
テープ保持部３０は図３および図４に示すように、粘着テープ２０を回転可能な状態で保持する回転軸のある円筒部材からなる。粘着テープ２０は、テープ保持部３０に脱着自在に装着されており、粘着テープを使い終わったら使用済みのテープを取り外して、新しい粘着テープが装着できるようにテープ保持部に嵌装されている。
【００１８】
テープ保持部３０は、テープ装着部３２と、第一ギヤ３４とから構成される。テープ装着部３２と、第一ギヤ３４は固定され連動する構成である。テープ装着部３２は、粘着テープ２０を回転自在に嵌装固定する部材であり、リムーバ本体１０に対してテープが回転自在になるように構成されている。また、第一ギヤ３４は、テープ装着部３２とテープ収容部６２を連動回転させるのと同時に、テープ装着部３２の逆回転を防止するのに供されるギヤである。テープ装着部３２が逆回転し、粘着テープ２０およびテープ巻取部６０に巻き取られた剥離済みのテープが逆流することを防止するように構成されている。
【００１９】
ガイド４０は、テープ保持部３０から回転伸長させて粘着テープ２０を引き出すためのガイドであり、テープの粘着剤塗布面を印刷物の文字に押圧することが出来るようにリムーバ本体１０の先端より突出する位置に設置されている。ガイド４０に向かって引き出された粘着テープ２０の粘着剤塗布面はガイドとともに印刷面に押圧接着され、印刷物の印刷文字に強力に接着する。ガイドの部材は固定されているのが望ましいが、回転性を向上させるために回転ローラ体を用いてもよい。
【００２０】
貼接部１５は、リムーバ本体１０の先端に設けられた開口であり、ガイド４０と粘着テープを印刷物の文字に押圧接触させ、印刷物の文字を貼接剥離するために設けられる。貼接部１５の開口から外側に飛び出した位置にガイド４０は設置される。
巻回されている粘着テープ２０は、引き出されてテープ保持部３０から貼接部１５のガイド４０に向かい、貼接部１５で印刷物の文字に貼着して印刷面に記載された文字等情報を剥離して粘着剤の塗布された面に剥がした文字部分を貼着した状態で、開口であるからリムーバ本体１０の内部に向かって、テープ巻取部６０により巻き取られる。
貼接部１５の開口は、文字等情報が貼着した粘着テープ２０が通過するために充分な大きさが確保されることが望ましい。
【００２１】
テープ巻取部６０は、貼接部１５より送られてきた粘着テープ２０を巻き取る機能を有する、回転可能な部材である。印刷物から剥離した印刷物の文字情報の一部が片面に貼着している粘着テープ２０を巻き取ることで、粘着テープ２０を使用後の廃棄を効率的に行うことを可能にする。
テープ巻取部６０は、テープ収容部６２と第三ギヤ６４から構成される。テープ収容部６２と、第三ギヤ６４は固定され連動する。テープ収容部６２は、貼接部１５より送られてきた粘着テープ２０を巻き取る部材であり、リムーバ本体１０に対して回転自在に形成されている。また、第三ギヤ６４はテープ収容部６２とテープ装着部３２を連動回転させるのと同時に、逆回転防止に供されるギヤで、テープ収容部６２が逆回転し、テープ収容部６２に巻き取られた剥離済みのテープが逆流することを防止する機構に供される。
【００２２】
第二ギヤ３６は図４に示すように、回転防止部材３８と共に第一ギヤ３４と第三ギヤ６４が一定方向以外に回転しないようにするストッパーの役割を果たす逆回転防止用のギヤである。
また、テープ巻取部６０は、テープ保持部３０の回転と連動して回転する必要がある。これは、第二ギヤ３６を介して第一ギヤ３４と第三ギヤ６４が連動回転することで、テープ巻取部６０とテープ保持部３０が同時に回転する構成としている。この機構は、テープ巻取部６０とテープ保持部３０をゴム若しくはワイヤー等帯状のもので連結し、連動して回転させるものであってもよい。
【００２３】
ローラ７０は、リムーバ使用時に予め印刷物の印刷面に接触して、表面を剥がれやすくする機構である。粘着テープ２０による剥離の前に予め印刷面の表面を傷付けて荒れた状態にして剥離を促進するための部材であり、これにより、印刷面の粗度が上がり、粘着剤が塗布された粘着テープ２０による剥離をよりスムーズに行えるようになった。
ローラ７０は、回転する周面に突刺針を植設して装着した円筒状の回転式の剣山であることが望ましい。ただし、印刷物の表面に傷をつけることが出来る程度に鋭利な刃が回転体に装備されていればよい。また、ローラ７０は、本体の動きに合わせてスムーズに回転可能な状態になるよう、円筒形のローラ７０となっているのが望ましいが、形状は限定されない。また、設置位置は、リムーバ本体の開口からなる貼接部の近傍に装備されていることが望ましい。
【００２４】
図１から図４に示す実施例では、ローラ７０は回転面に針を装着した回転式の剣山であるが回転面にはカッター状の刃を装着してもよい。また、ローラ７０は、貼接部１５の近傍に装備されていることが望ましいが、粘着テープ２０の配置に応じて適宜装備箇所を変更してもよい。さらに、ローラ７０の大きさは粘着テープ２０の配置に応じて適宜装備箇所を変更することが可能である。
ローラ７０は、リムーバ本体１０の内部に装備するのが望ましいが、リムーバ使用時に印刷物の印刷面に接触すればよいので、アーム等により、リムーバ本体１０の外部に装備されていてもよい。
【００２５】
ローラと粘着テープとが接触することのないように、印刷面を傷付け荒らす機構（ローラ）が粘着テープに干渉または接触しないように別のガイド機構を設置することも考えられる。
【図面の簡単な説明】
【００２６】
【図１】本発明における文字情報リムーバの外観の斜視図
【図２】文字情報リムーバの内部構造の斜視図
【図３】文字情報リムーバの内部構造を示す斜視図であって、テープを透明に表した透視図
【図４】リムーバの内部機構を表す正面透視図
【図５】粘着テープの構造を示す断面図
【図６】粘着テープの粘着剤塗布面の図柄を表す図
【符号の説明】
【００２７】
１０    リムーバ本体
１２    ローラ用開口
１５    貼接部
２０    粘着テープ
２２    接着剤
３０    テープ保持部
３２    テープ装着部
３４    第一ギヤ
３６    第二ギヤ
３８    回転防止部材
４０    ガイド
６０    テープ巻取部
６２    テープ収容部
６４    第三ギヤ
７０    ローラ
【図１】
2012030558.tif 000003
【図２】
2012030558.tif 000004
【図３】
2012030558.tif 000005
【図４】
2012030558.tif 000006
【図５】
2012030558.tif 000007
【図６】
2012030558.tif 000008